(57)【要約】【課題】利用者の利便を損なうことなく、且つ、高いセキュリティのもとでロック解除を行う携帯端末装置を提供する。【解決手段】携帯端末装置は、それぞれが、携帯端末装置のロックを解除するための認証成功を判定する機能を有する第１の個人認証手段及び第２の個人認証手段と、第１の個人認証手段及び第２の個人認証手段の何れか一方による認証成功を条件とする第１の認証条件と、双方による認証成功を条件とする第２の認証条件と、第１の個人認証手段又は前記第２の個人認証手段の何れかを選択し該選択した個人認証手段による認証成功を条件とする第３の認証条件のうち、２つ以上の認証条件から１つの認証条件を選択する選択手段と、選択手段によって選択された認証条件を満足すると、携帯端末装置のロックを解除するロック解除手段とを備える。【選択図】図１
2011091613.tif 000002
【特許請求の範囲】
【請求項１】
それぞれが、携帯端末装置のロックを解除するための認証成功を判定する機能を有する第１の個人認証手段及び第２の個人認証手段と、
前記第１の個人認証手段及び前記第２の個人認証手段の何れか一方による認証成功を条件とする第１の認証条件、双方による認証成功を条件とする第２の認証条件、及び、前記第１の個人認証手段又は前記第２の個人認証手段の何れかを選択し該選択した個人認証手段による認証成功を条件とする第３の認証条件のうち、２つ以上の認証条件から１つの認証条件を選択する認証条件選択手段と、
前記認証条件選択手段によって選択された認証条件を満足すると、携帯端末装置のロックを解除するロック解除手段と、を備える携帯端末装置。
【請求項２】
前記認証条件選択手段による認証条件の選択を有効にするための第３の個人認証手段を更に備える、請求項１に記載の携帯端末装置。
【請求項３】
前記認証条件選択手段は、携帯端末装置の操作が一旦終了すると、所定の期間経過後に、予め設定された所定の選択に戻る、請求項１又は２に記載の携帯端末装置。
【請求項４】
前記第１の個人認証手段が携帯端末装置の筐体の動きを判定する動き認証手段であり、前記第２の個人認証手段が暗証番号を用いる暗証番号認証手段である、請求項１〜３の何れか一に記載の携帯端末装置。
【発明の詳細な説明】
【技術分野】
【０００１】
本発明は、携帯端末装置に関し、更に詳しくは、携帯端末装置の機能を有効にするための個人認証機能を備える携帯端末装置に関する。
【背景技術】
【０００２】
携帯電話を始めとする携帯端末装置には、その利用者の個人情報が大量に記憶されている。このため、携帯端末装置に記憶された個人情報を第三者から秘匿し、個人のプライバシやセキュリティを保護する必要性が高まっている。プライバシや、セキュリティの保護に関しては、携帯端末装置の操作をロックするロック機能が提供されている。
【０００３】
ロック機能の解除には、利用者の個人認証が不可欠である。個人認証の方法として、暗証番号を入力する暗証番号認証や、内蔵カメラを用いた顔認証、指先の指紋を用いた指紋認証などが知られている。しかし、これらのロック解除方法では、例えば暗証番号入力は、４桁の数値を用いるなどの方法であり、人によってはキー操作入力が面倒であり、また、第三者に容易に推測されるなどの問題がある。また、指紋認証では、認証装置を筐体上にレイアウトする必要があり、キー配置に影響を与えるなどの問題がある。
【０００４】
例えば特許文献１及び特許文献２には、セキュリティの高い個人認証の技術として、携帯端末装置の加速度センサを用いる動き認証が記載されている。この動き認証では、携帯端末装置の筐体を手で動かし、そのときの動きパターンと、予め登録された基準の動きパターンとを比較する。比較の結果、双方の動きパターンが一致すると、個人認証に成功したものとして、携帯端末装置の操作を許可する。また、これらの特許文献では、動き認証に加えて、暗証番号認証や、指紋などのバイオメトリクス認証を同時に行う旨が記載されている。
【先行技術文献】
【特許文献】
【０００５】
【特許文献１】特開２００２−２０７７０３号公報
【特許文献２】特開２００７−１１６３１８号公報
【発明の概要】
【発明が解決しようとする課題】
【０００６】
従来の認証方法では、動き認証や顔認証は極めてセキュリティ保護の面で優れた認証方法である。しかし、これらの認証方法は、周囲の環境によっては、認証自体が出来ない場合や、制限される場合がある。このような場合には、利用者は、携帯端末装置の使用ができず、個人認証の実施が携帯端末の利用者の利便を損なうこととなる。しかし、上記特許文献には、その場合に対処する認証方法の記載がない。
【０００７】
本発明は、上記に鑑み、利用者の利便を損なうことなく、セキュリティが高い個人認証を行うことでロック解除が可能な携帯端末装置を提供することを目的とする。
【課題を解決するための手段】
【０００８】
上記目的を達成するために、本発明は、それぞれが、携帯端末装置のロックを解除するための認証成功を判定する機能を有する第１の個人認証手段及び第２の個人認証手段と、前記第１の個人認証手段及び前記第２の個人認証手段の何れか一方による認証成功を条件とする第１の認証条件、双方による認証成功を条件とする第２の認証条件、及び、前記第１の個人認証手段又は前記第２の個人認証手段の何れかを選択し該選択した個人認証手段による認証成功を条件とする第３の認証条件のうち、２つ以上の認証条件から１つの認証条件を選択する認証条件選択手段と、前記認証条件選択手段によって選択された認証条件を満足すると、携帯端末装置のロックを解除するロック解除手段と、を備える携帯端末装置を提供する。
【発明の効果】
【０００９】
本発明の携帯端末装置では、携帯端末装置のロック解除が、利用者の利便を損なうことなく、且つ、高いセキュリティのもとで行われる。
【図面の簡単な説明】
【００１０】
【図１】本発明の一実施形態に係る携帯端末装置のブロック図。
【図２】認証情報の具体例を示す図。
【図３】ロック解除の処理を示すフローチャート。
【図４】認証条件選択の処理を示すフローチャート。
【発明を実施するための形態】
【００１１】
本発明の実施形態の説明に先立って本発明の概要を説明する。本発明の携帯端末装置は、その最小構成として、それぞれが、携帯端末装置のロックを解除するための認証成功を判定する機能を有する第１の個人認証手段及び第２の個人認証手段と、前記第１の個人認証手段及び前記第２の個人認証手段の何れか一方による認証成功を条件とする第１の認証条件と、双方による認証成功を条件とする第２の認証条件と、前記第１の個人認証手段又は前記第２の個人認証手段の何れかを選択し該選択した個人認証手段による認証成功を条件とする第３の認証条件のうち、２つ以上の認証条件から１つの認証条件を選択する選択手段と、前記認証条件選択手段によって選択された認証条件を満足すると、携帯端末装置のロックを解除するロック解除手段とを備える。
【００１２】
上記携帯端末装置では、周囲環境や，セキュリティの程度、及び、利用者の希望に応じて個人認証手段及び認証条件の選択が可能であり、高いセキュリティを維持しつつ利用者の利便性が高い個人認証が可能になる。
【００１３】
以下、本発明の実施形態について、図面を参照して詳細に説明する。図１は、本発明の一実施形態に係る携帯端末装置のブロック図である。携帯端末装置１０は、時計部１１と、表示部１２と、スピーカー部１３と、マイク部１４と、操作部１５と、制御部１６と、動きセンサ部１７と、記憶部１８と、プログラム部１９と、無線部２０とを有する。
【００１４】
時計部１１、表示部１２、スピーカー部１３、マイク部１４、及び、無線部２０は、従来の携帯端末装置が有する機能をそれぞれ有する。操作部１５は、キーボードや、サイドキーを含む。動きセンサ部１７は、加速度センサを有する。
【００１５】
プログラム部１９は、認証条件設定機能２２と、ロック解除機能２３と、第１個人認証機能２４と、第２個人認証機能２５とを含む。記憶部１８には、認証情報２１が記憶されている。認証条件設定機能２２は、利用者の操作により、操作部１５からの入力および動きセンサ部からの入力に従い、認証情報２１をセットすると共に、携帯端末を作動させるための認証条件を選択し設定する。ロック解除機能２３は、携帯電話のロック状態の設定や、認証情報２１に従ったロック解除を行う。携帯電話がロック状態に設定されている間には、利用者は、ロック解除処理の他には、緊急発信などの特殊な処理のみが可能である。
【００１６】
第１個人認証機能２４は、動きセンサ部１７が出力する動きの信号から動きパターンを生成し、その生成した動きパターンと、認証情報２１に記憶されている基準の動きパターンとを比較し、比較の結果、一致すると、認証成功と判定する機能を有する。第２個人認証機能２５は、操作部１５から入力される暗証番号と、認証情報２１に記憶されている暗証番号とを比較し、比較の結果、一致すると、認証成功と判定する機能を有する。制御部１６は、これらプログラムに従って動作する。
【００１７】
図２は、認証情報２１の構成を示している。認証情報２１は、暗証番号による認証を行うか否かを示す暗証番号認証３１と、動き認証による認証を行うか否かを示す動き認証３２と、暗証番号３３と、動き認証情報３４と、設定の選択を有効にする暗証番号３５とを含む。暗証番号認証３１には、認証条件設定機能２２により、例えば暗証番号認証を行う場合には「ＯＮ」、行わない場合には「ＯＦＦ」が設定されている。暗証番号３３は、暗証番号認証を行うための文字列であり、認証条件設定機能２２により操作部１５から利用者により任意に設定される。動き認証３２には、認証条件設定機能２２により、例えば動き認証を行う場合には「ＯＮ」、行わない場合には「ＯＦＦ」が設定されている。動き認証情報３４は、動き認証を行うためのデジタルデータであり、認証条件設定機能２２により、動きセンサ部１７から利用者が任意に携帯電話を動かした動作（例えば上下に振る、回す）が数値化されて設定される。暗証番号３５は、設定を変更する際に利用者が入力する暗証番号と比較する暗証番号である。
【００１８】
次に、図３のフローチャートを参照して、上記実施形態の携帯端末装置（以下、携帯電話と呼ぶ）１０の処理について説明する。携帯電話１０は、操作が終了して待機状態になった場合などに、自動的にロックがかかる。一方、このロック状態を解除する際にロック解除機能２３が認証処理を行い、認証に成功した場合にロックを解除する。
【００１９】
携帯電話１０は、始めにロック状態に設定されているものとする。ロック状態では暗証番号認証３１又は動き認証３２の何れか、又は，双方がＯＮに設定されている。始めに、ロック解除機能２３は、ロック状態の解除指示があったか否かを判定する（Ｓ１０１）。例えば、携帯電話１０で何らかの操作が行われ、待機状態が解除された場合等に、ロック状態の解除指示があったものとする。ロック状態の解除指示がない場合（Ｓ１０１のなし）は、ロック解除機能２３はロック状態のまま待機する。解除指示は、例えば操作部のキー操作によって行われる。
【００２０】
ロック状態の解除指示があった場合には（Ｓ１０１のあり）、ロック解除機能２３は、記憶部１８の認証情報２１から暗証番号認証３１と動き認証３２の設定情報を取得し、何れの個人認証を行うかを判定する（Ｓ１０２）。
【００２１】
Ｓ１０２で、動き認証のみが設定されている場合には（暗証番号認証３１がＯＦＦで、動き認証がＯＮ）、ロック解除機能２３は、表示部１２に、例えば「携帯電話を動かしてください」などの認証画面を表示する（Ｓ１１１）。次に、ロック解除機能２３は、加速度センサからなる動きセンサ部１７を起動し、動き入力を開始する（Ｓ１１２）。ロック解除機能２３は、認証入力終了の操作（例えば操作部１５で決定キーの入力操作）が行われたか否かを判定し、終了していない場合は、動き入力を継続する（Ｓ１１３）。
【００２２】
認証入力が終了した場合には（Ｓ１１３の終了）、動きセンサ部１７を停止する（Ｓ１１４）。ロック解除機能２３は、動きセンサ部１７で入力された数値化された動き情報と、認証情報２１に記憶された基準となる動き認証情報３４とを比較することにより、同一の動きパターンであるか否かを判定する（Ｓ１１５）。次いで、ロック解除機能２３は、動き認証に成功したか否かを判定する（Ｓ１１６）。動き認証に成功した場合には（Ｓ１１６のＯＫ）、ロック解除機能は認証に成功したものとして、例えば表示部１２に「ロックを解除しました」を表示し、携帯電話のロックを解除する（Ｓ１１７）。動き認証に失敗した場合（Ｓ１１６のＮＧ）は、ロック解除機能は認証に失敗したものとして、例えば表示部１２には、「ロック解除できません」を表示し、携帯電話のロックを解除せずにロック状態を継続する（Ｓ１１８）。
【００２３】
動き認証と暗証番号認証の双方が設定されている場合（暗証番号認証３１がＯＮで、動き認証もＯＮ）、ロック解除機能２３は表示部１２に例えば「携帯電話を動かすか、暗証番号を入力してください」などの認証画面を表示する（Ｓ１２１）。次にロック解除機能２３は、動きセンサ部１７を起動し、動き入力を開始する（Ｓ１２２）。またロック解除機能２３は暗証番号入力を開始する（Ｓ１２３）。ロック解除機能２３は認証入力終了操作（例えば操作部１５で決定キー入力操作）が行われたか否かを判定し、終了していない場合は、動き入力と暗証番号入力とを継続する（Ｓ１２４）。
【００２４】
認証入力が終了した場合には（Ｓ１２４の終了）、動きセンサ部１７を停止し（Ｓ１２５）、暗証番号入力を終了する（Ｓ１２６）。ロック解除機能２３は、動きセンサ部１７で入力された数値化された動き情報と認証情報２１の動き認証情報３４とを比較することにより、同一の動きパターンであるか否かを判定する。ロック解除機能２３は、また、入力された暗証番号と認証情報２１の暗証番号３３とを比較することにより、同一番号であるか否かを判定する（Ｓ１２７）。
【００２５】
ロック解除機能２３は、次いで、動き認証と暗証番号認証の何れか一方又は双方が認証成功（一致）であれば認証に成功したと判定し、動き認証及び暗証番号認証の何れか一方が認証不成功（不一致）であれば認証不成功と判定する（Ｓ１２８）。認証に成功した場合には（Ｓ１２８のＯＫ）、ロック解除機能２３は、認証に成功したものとし、例えば表示部１２に「ロックを解除しました」を表示し、携帯電話１０のロックを解除する（Ｓ１２９）。認証に失敗した場合には（Ｓ１２８のＮＧ）、ロック解除機能２３は、認証に失敗したものとし、例えば表示部１２に「ロック解除できません」を表示し、携帯電話のロックを解除せずにロック状態を継続する（Ｓ１３０）。
【００２６】
暗証番号認証のみが設定されている場合には（暗証番号認証３１がＯＮで、動き認証がＯＦＦ）、ロック解除機能２３は、表示部１２に例えば「暗証番号を入力してください」などの認証画面を表示する（Ｓ１３１）。次にロック解除機能２３は、暗証番号入力を開始する（Ｓ１３２）。ロック解除機能２３は、認証入力終了の操作（例えば操作部１５で決定キー入力操作）が行われたか否かを判定し、終了していない場合には、暗証番号入力を継続する（Ｓ１３３）。認証入力が終了した場合には（Ｓ１３３の終了）、暗証番号入力を終了する（Ｓ１３４）。
【００２７】
次に、ロック解除機能２３は、入力された暗証番号と、認証情報２１の暗証番号３３とを比較することにより、同一番号であるか否かを判定する（Ｓ１３５）。ロック解除機能２３は、次いで、暗証番号認証に成功したか否かを判定する（Ｓ１３６）。暗証番号認証に成功した場合には（Ｓ１３６のＯＫ）、ロック解除機能は認証に成功したものとし、例えば表示部１２に「ロックを解除しました」を表示し、携帯電話のロックを解除する（Ｓ１３７）。ロック解除機能２３は、暗証番号認証に失敗した場合には（Ｓ１３６のＮＧ）、ロック解除機能は認証に失敗したものとし、例えば表示部１２に「ロック解除できません」を表示し、携帯電話のロックを解除せずにロック状態を継続する（Ｓ１３８）。
【００２８】
図４は、携帯電話１０における認証条件選択の処理を示すフローチャートである。携帯電話１０の利用者は、まず、設定条件の変更をする旨を所定のキーを用いて指定する（Ｓ２０１）。認証条件設定機能２２は、携帯電話１０の表示部１２に、認証設定画面を表示する（Ｓ２０２）。利用者は、その設定画面上で、暗証番号認証及び動き認証、暗証番号認証、又は、動き認証の何れかを選択する。その選択と同時に、又は、選択に先立って、別の暗証番号を入力する。認証条件設定機能２２は、入力された別の暗証番号と認証情報に記憶された暗証番号３５とを比較照合して、一致していればその選択を受け付ける。認証条件設定機能２２は、選択された暗証番号認証及び動き認証（Ａ）、暗証番号認証（Ｂ）、又は、動き認証（Ｃ）に従った設定をそれぞれ行う（Ｓ２０４、Ｓ２０５、Ｓ２０６）。その後、認証条件設定機能２２は、利用者が携帯電話１０の操作を終了するのを待つ（Ｓ２０７）。
【００２９】
利用者が携帯電話１０の操作を終了すると、認証条件設定機能２２は、一定時間、例えば１〜３時間程度が経過したら（Ｓ２０８）、選択すべき認証方法を、強制的に動き認証選択に設定変更し（Ｓ２０９）、設定条件変更処理を終了する。この設定条件の変更は、暗証番号認証に比して、動き認証の方がよりセキュリティが高いことを考慮したものである。なお、上記実施形態では、暗証番号認証及び動き認証の何れか一方の認証成功で、全体の個人認証の完了とした認証条件を挙げたが、これに代えて、又は、これに加えて、よりセキュリティが高い設定である、双方の認証成功をもって個人認証を完了させる条件を設定してもよい。また、Ｓ２０９の設定変更は、利用者の希望によっては省略可能である。
【００３０】
動き認証では、携帯電話に内蔵された動きセンサの信号パターンと、予め設定された動きセンサの信号パターンとを比較して、その比較結果に基づいて認証の成功か否かを判定する。このため、この認証成功をロック解除の条件とすると、所有者のみが知り得る動作でしかロック解除ができず、暗号番号認証の認証成功をロック解除の条件とする場合に比して、高いセキュリティでの個人認証が可能となる。また、ユーザ認証を顔認証で行う場合と異なり、周囲が暗い場所でも認証が可能となる。
【００３１】
上記実施形態では、利用者が携帯電話での処理を終了した後に、所定時間が経過すると、認証条件設定機能が、強制的に動き認証に設定を変更する。動き認証は、動きの差を他人が見極めることは難しく、第三者は容易にはその認証をくぐり抜けることが困難である。このため、携帯電話を落としたなどの場合にも、第三者はその携帯電話に容易にはアクセスできない。なお、動き認証は、周囲環境によっては、実行しがたい場合がある。この場合には、利用者が自ら設定を変更し、暗証番号認証を選択して個人認証を行うことで、容易に対処可能である。特に、設定変更に際しても、暗証番号認証を行うこととしたので、セキュリティが更に向上する。
【００３２】
上記実施形態では、第１の個人認証手段を動き認証とし、第２及び第３の個人認証手段を暗号認証としたが、第１〜第３の認証手段は、夫々、任意に設定可能である。この場合、第１〜第３の個人認証手段が全て同じ認証方法で、照合すべきデータのみが異なっていてもよく、或いは、第１〜第３の個人認証手段が全て異なっていてもよい。選択可能な個人認証の方法として、動き認証及び暗証番号認証の他に、内蔵カメラを用いた顔認証、指先の指紋を用いた指紋認証など、従来から用いられている認証方法が採用可能である。
【００３３】
本発明を特別に示し且つ例示的な実施形態を参照して説明したが、本発明は、その実施形態及びその変形に限定されるものではない。当業者に明らかなように、本発明は、添付の特許請求の範囲に規定される本発明の精神及び範囲を逸脱することなく、種々の変更が可能である。
【符号の説明】
【００３４】
１０；携帯端末装置（携帯電話）
１１：時計部
１２：表示部
１３：スピーカ部
１４：マイク部
１５：操作部
１６：制御部
１７：動きセンサ部
１８：記憶部
１９：プログラム部
２０：無線部
２１：認証情報
２２：認証条件設定機能
２３：ロック解除機能
２４：第１個人認証機能
２５：第２個人認証機能
３１：暗証番号認証
３２：動き認証
３３，３５：暗証番号
３４：動き認証情報
【図１】
2011091613.tif 000003
【図２】
2011091613.tif 000004
【図３】
2011091613.tif 000005
【図４】
2011091613.tif 000006